(57)【要約】【課題】簡単な構成で、廃棄物処分場や廃棄物仮置き場などの廃棄物集積施設に設けられた廃棄物集積地の地上部から、上記集積地内に廃棄物を均一に投入することのできる廃棄物集積施設と、廃棄物の投入方法を提供する。【解決手段】廃棄物集積施設１０の廃棄物集積地である貯留槽１１，１２のそれぞれの開口部１１ａ，１２ａを、廃棄物投入口となる多数の貫通孔１６Ｓが設けられた板状の枠体１６と、上記貫通孔１６Ｓの上部を開閉するための蓋体１７が設けられた蓋部材１５で覆い、廃棄物Ａを運搬する搬送車両６０が上記廃棄物投入予定箇所近傍まで走行できるようにするとともに、廃棄物Ａの投入時には、上記蓋体１７を取り外し、上記貫通孔１６Ｓから貯留槽１２内部へ上記運搬された廃棄物Ａを投入するようにした。【選択図】        図１
2004298687.tif 000002
【特許請求の範囲】
【請求項１】
廃棄物を集積地に投入して集積する廃棄物集積施設において、開閉可能な複数個の廃棄物投入口を有し、上記集積地の開口部を覆う蓋部材を備えたことを特徴とする投入口付き廃棄物集積施設。
【請求項２】
上記蓋部材を、複数個の貫通孔を有する枠体と、上記貫通孔を開閉する蓋体とから構成したことを特徴とする請求項１に記載の投入口付き廃棄物集積施設。
【請求項３】
上記集積地の底部に、上記開口部近傍まで延長する複数本の支持部材を立設し、この支持部材により、上記蓋部材を支持するようにしたことを特徴とする請求項１または請求項２に記載の投入口付き廃棄物集積施設。
【請求項４】
上記集積地を複数の貯留槽に分割するとともに、上記貯留槽のうち、少なくとも、廃棄物の投入を開始する貯留槽の開口部を上記蓋部材で覆うようにしたことを特徴とする請求項１〜請求項３のいずれかに記載の投入口付き廃棄物集積施設。
【請求項５】
上記集積地を、地上面側に開閉可能な複数個の廃棄物投入口が設けられた１個または複数個のコンクリート製の箱体で構成したことを特徴とする請求項１に記載の投入口付き廃棄物集積施設。
【請求項６】
廃棄物集積施設に設けられた集積地の開口部を板状の部材で覆って、車両が上記集積地の上部を通行することを可能とするとともに、上記板状の部材に複数個の開閉可能な廃棄物投入口を設けて、この廃棄物投入口から上記廃棄物集積施設に運搬されてきた廃棄物を上記集積地内に投入するようにしたことを特徴とする廃棄物の投入方法。
【発明の詳細な説明】
【０００１】
【発明の属する技術分野】
本発明は、廃棄物最終処分場などの廃棄物集積施設の構成と廃棄物集積施設に運搬された廃棄物を埋立地などの廃棄物集積地に投入する方法に関するものである。
【０００２】
【従来の技術】
図９は、廃棄物を集積して埋立・貯蔵する従来の廃棄物最終処分場の一構成例を示す図で、上記廃棄物最終処分場は、地面Ｄを凹状に掘削・成形し、その周囲にコンクリート塀５１などを構築して廃棄物を投入するための埋立地５２を形成する。そして、この埋立地５２の壁面と底面とを遮水シート５３で覆うとともに、上記埋立地５２の底部に、浸出水集水槽５４Ａ及び浸出水調整池５４Ｂに接続された浸出水集排水管５５を備えた、砂分を主体とした保護土層５６を設けている。また、上記埋立地５２の上部に屋根５７を設けて上記埋立地５２を覆い、上記埋立地５２内への降雨の浸入を防止するとともに、上記屋根５７の天井付近に散水設備５８を設け、上記埋立地５２に投入された廃棄物Ａに、給水タンク５９から供給される水を散水して上記廃棄物Ａを浄化するようにしている。なお、上記廃棄物Ａを通って埋立地の底部に集まった浸出水は、上記浸出水集排水管５５から浸出水集水槽５４Ａを介して浸出水調整池５４Ｂに集められた後、浸出水処理設備５４の原水槽５４Ｃに送られて浄化される。
【０００３】
上記廃棄物Ａは、通常、図１０に示すように、ダンプカー等の搬送車両６０に搭載されて処分場５０まで運搬され、上記埋立地５２内に投入される。このとき、搬送車両６０は、埋立地５２内に設けられた斜路５２ｋ等の場内道路を経由して上記埋立地５２内に進入し、上記廃棄物Ａを埋立地５２内の所定の位置に投入する。上記投入された廃棄物Ａは、ローラ等の重機６１で敷き均されて締め固められ、その後、廃棄物Ａの飛散防止や悪臭の発散あるいはハエ等の衛生害虫の発生を防ぐために、上記廃棄物Ａの上に所定厚さの覆土が施される。そして、この覆土の上に新たに廃棄物Ａを投入して埋立る。
【０００４】
【発明が解決しようとする課題】
しかしながら、埋立地５２内にダンプカー等の搬送車両６０が入り込むと、上記搬送車両６０が廃棄物Ａと接触する可能性があり、衛生上問題があるだけでなく、集積された廃棄物Ａからのガス発生など、重機作業の安全性にも問題があった。更に、埋立地５２内に斜路５２ｋ等の搬送車両専用の場内道路を設置すると、廃棄物Ａを埋立る容量が少なくなってしまうといった問題点があった。
そこで、処分場の埋立地５２の地上部から埋立地５２内に直接、あるいは、筒状の投入シュートやホッパーなどの投入設備を介して、上記運搬された廃棄物Ａを上記埋立地５２内に投入する方法も考えられるが、廃棄物Ａの投入箇所はどうしても埋立地５２の開口部周辺に限られてしまうため、上記投入された廃棄物Ａを後で重機６１等を用いて運搬し敷き均す必要があった。
【０００５】
本発明は、従来の問題点に鑑みてなされたもので、簡単な構成で、廃棄物処分場や廃棄物仮置き場などの廃棄物集積施設に設けられた廃棄物集積地の地上部から、上記集積地内に廃棄物を均一に投入することのできる廃棄物集積施設と、廃棄物の投入方法を提供することを目的とする。
【０００６】
【課題を解決するための手段】
本発明の請求項１に記載の発明は、廃棄物最終処分場の埋立地などのような、廃棄物を集積地に投入して集積する廃棄物集積施設であって、開閉可能な複数個の廃棄物投入口を有し、上記集積地の開口部を覆う蓋部材を備え、上記廃棄物集積施設に運搬されてきた廃棄物を上記廃棄物投入口から上記集積地内に投入できるようにしたものである。これにより、集積地内にダンプカー等の搬送車両を入れることなく、上記蓋部材の上部、すなわち、集積地の上部から上記集積地内に廃棄物を投入することが可能となるだけでなく、投入された廃棄物を埋立地内で運搬する重機が不用となる。また、廃棄物の投入時以外は、上記開口部は蓋部材で覆われているので、上記集積地内部への雨水の浸入を防止できる。
【０００７】
請求項２に記載の発明は、請求項１に記載の投入口付き廃棄物集積施設において、上記蓋部材を、複数個の貫通孔を有する枠体と、上記貫通孔を開閉する蓋体とから構成したものである。
また、請求項３に記載の発明は、請求項１または請求項２に記載の投入口付き廃棄物集積施設において、上記集積地の底部に、上記開口部近傍まで延長する複数本の支持部材を立設し、この支持部材により、上記蓋部材を支持するようにしたもので、これにより、広い開口部や不規則な形状の開口部を有する集積地であっても、上記蓋部材を確実に支持することができるので、上記蓋部材上を、ダンプカー等の搬送車両を安全に通行させることが可能となる。
また、請求項４に記載の発明は、請求項１〜請求項３のいずれかに記載の投入口付き廃棄物集積施設において、上記集積地を複数の貯留槽に分割するとともに、上記貯留槽のうち、少なくとも、廃棄物の投入を開始する貯留槽の開口部を上記蓋部材で覆うようにしたもので、これにより、廃棄物の投入と蓋部材の設置作業とを並行して行うことができるので、廃棄物集積施設を早期に活用することが可能となる。また、集積地全体を蓋部材で覆うことなく、上記蓋部材を、廃棄物の搬入部分を残して、順次移動して架設することができるので、使用する蓋部材が少なくて済み、コストダウンが可能となる。
また、請求項５に記載の発明は、請求項１に記載の投入口付き廃棄物集積施設において、上記集積地を、地上面側に開閉可能な複数個の廃棄物投入口が設けられた１個または複数個のコンクリート製の箱体で構成したもので、これにより、集積地の周囲の補強と蓋部材の取付けとを同時に行うことができるので、廃棄物集積施設の施行を早期に行うことが可能となる。
【０００８】
また、請求項６に記載の発明は、廃棄物集積施設に設けられた集積地へ廃棄物を投入する方法であって、廃棄物集積施設に設けられた集積地の開口部を、鉄板やコンクリート板などの板状の部材で覆って、車両が上記集積地の上部を通行することを可能とするとともに、上記板状の部材に複数個の開閉可能な廃棄物投入口を設けて、この廃棄物投入口から上記廃棄物集積施設に運搬されてきた廃棄物を上記集積地内に投入するようにしたことを特徴とする。これにより、上記集積地の上部の複数箇所から、上記集積地内に廃棄物を投入することができるので、上記集積地内に廃棄物を均一に投入することが可能となる。
【０００９】
【発明の実施の形態】
以下、本発明の実施の形態について、図面に基づき説明する。
図１（ａ），（ｂ）は、本実施の形態に係る投入口付き廃棄物集積施設１０の概略構成を示す図で、同図において、１１〜１３は地面Ｄを凹状に掘削・成形し、それぞれの側壁１４ａを含む周囲をコンクリート塀１４で補強した廃棄物集積地である貯留槽、１５，１５は既に埋立が完了した貯留槽１１と現在埋立中の貯留槽１２のそれぞれの開口部１１ａ，１２ａを覆う、複数個の開閉可能な廃棄物投入口（後述する貫通孔１６Ｓ）を有する蓋部材で、この蓋部材１５，１５の周縁部は、上記貯留槽１１，１２の開口部１１ａ，１２ａの周縁部のコンクリートの側壁１４ａ上に直接保持される。なお、埋立前の貯留槽１３の開口部１３ａには蓋部材１５を取付けていないが、予め取付けておいてもよい。
上記蓋部材１５は、廃棄物投入口となる多数の貫通孔１６Ｓが設けられた枠体１６の上記貫通孔１６Ｓのそれぞれに、厚い鉄板から成り、上記貫通孔１６Ｓの上部を開閉するための蓋体１７を取付けたもので、具体的には、図２に示すように、上記貫通孔１６Ｓを下部が狭い段付きとし、その段差部１６Ｄに上記蓋体１７の周縁部を載せて上記貫通孔１６Ｓを閉鎖する。また、貫通孔１６Ｓを開放する場合には、図示しないクレーン等を用いて上記蓋体１７を釣り上げて上記貫通孔１６Ｓから抜き出すようにする。
なお、蓋部材１５を、例えば、図３に示すように、貫通孔１６Ｓの両側面に軸部材１６Ｊを渡し、この軸部材１６Ｊに蓋体１７を回転可能に取付けるとともに、貫通孔１６Ｓ内の上記軸部材１６Ｊとは反対側の面に突出する係止部１６ｋを設ける構造とするなど、上記貫通孔１６Ｓを上記蓋体１７で開閉する構成となっていればよい。なお、上記図３の蓋部材１５は、通常は、上記蓋体１７の他端側が上記係止部１６ｋ上に保持されるので、貫通孔１６Ｓは閉鎖されている。また、廃棄物の投入時には、上記蓋体１７の表面側に取っ手などを設けて、これにロープなどを取付けて引張ることで上記蓋体１７を回転させ、上記貫通孔１６Ｓを開放する。
なお、上記貫通孔１６Ｓの開放は、上述のものに限定されるものではなく、上記蓋体１７をクレーンやジャッキ、モータ等により、取り外しやスイング、あるいはスライドさせて開放してもよい。
【００１０】
次に、上記廃棄物集積施設１０の貯留槽１２へ廃棄物を投入する方法について説明する。
まず、廃棄物Ａをダンプカー等の搬送車両６０に搭載して廃棄物集積施設１０まで運搬する。本発明の廃棄物集積施設１０は、図１（ｂ）に示すように、現在埋立中の貯留槽１２の開口部１２ａと、この貯留槽１２に隣接する既に埋立が完了した貯留槽１１の開口部１１ａとは蓋部材１５，１５で覆われており、かつ、各蓋部材１５，１５の貫通孔１６Ｓは、それぞれ、蓋体１７で塞がれているので、上記搬送車両６０は上記蓋部材１５，１５上を自由に走行することができる。すなわち、上記搬送車両６０は貯留槽１２の上部を移動して、上記貯留槽１２の目的とする廃棄物投入予定箇所近傍の上部に容易に到達することができる。
上記搬送車両６０が上記廃棄物投入予定箇所近傍に到着すると、作業者（運転手）は搬送車両６０を停止させ、上記蓋部材１５の上記廃棄物投入予定箇所に設けられた廃棄物投入口である貫通孔１６Ｓの蓋体１７を、クレーンやジャッキ、モータ等により、取り外したりスイングさせたり、あるいはスライドさせて上記貫通孔１６Ｓを開放し、この開放された貫通孔１６Ｓから貯留槽１２内部へ上記運搬してきた廃棄物Ａを投入する。その後、上記蓋体１７を元に戻して廃棄物投入作業を完了する。更に、廃棄物投入時の安全性の向上や、廃棄物の飛散防止のために、廃棄物Ａを投入する際には、直接廃棄物Ａを投入するのではなく、貫通孔口１６Ｓの下方にホッパーを設けて、廃棄物Ａを一度ホッパーに受けてから投入するようにしてもよい。また、上記ホッパーが降下できるようにすれば、更に安全性が向上するとともに、飛散防止効果も向上する。
すなわち、本例では、廃棄物Ａの投入箇所を適宜指定することにより、廃棄物Ａを貯留槽１２内に計画的に投入することができる。したがって、廃棄物Ａを貯留槽１２内に均一に投入することができるので、廃棄物Ａの敷き均し作業を省略することができる。なお、上記廃棄物Ａ上に覆土を施す必要がある場合には、上記廃棄物の投入方法と同様な方法で、上記廃棄物投入口となる貫通孔１６Ｓから覆土材料を投入すればよい。
【００１１】
このように、本実施の形態によれば、廃棄物集積施設１０の廃棄物集積地である貯留槽１１，１２のそれぞれの開口部１１ａ，１２ａを、廃棄物投入口となる多数の貫通孔１６Ｓが設けられた板状の枠体１６と、上記貫通孔１６Ｓの上部を開閉するための蓋体１７が設けられた蓋部材１５で覆い、廃棄物Ａを運搬する搬送車両６０が上記蓋部材１５上を走行できるようにするとともに、廃棄物Ａの投入時には、上記蓋体１７を取り外したりスイングさせたり、あるいはスライドさせたりして、上記貫通孔１６Ｓから貯留槽１２内部へ上記運搬された廃棄物Ａを投入するようにしたので、上記貯留槽１２内にダンプカー等の搬送車両を入れることなく、貯留槽１２の上部から貯留槽１２内に廃棄物Ａを均一に投入することができる。また、重機による敷き均し作業もなく、貯留槽１２内に人が入ることがないので、廃棄物Ａの投入作業を安全にかつ効率的に行うことができる。
また、搬送車両６０は上記蓋部材１５上を自由に走行できるので、廃棄物Ａの運搬が容易になるだけでなく、貯留槽１２内に斜路５２ｋなどの搬送車両専用の場内道路を設置する必要がないので、廃棄物Ａを埋立る容量を十分確保することができる。
また、廃棄物Ａの投入時以外は、上記貯留槽１２の開口部１２ａは、上記貫通孔１６Ｓが蓋体１７で閉じられた状態の蓋部材１５で覆われているので、上記貯留槽１２内部への雨水の浸入を防止できる。
【００１２】
なお、上記実施の形態では、貯留槽１２の開口部１２ａを１枚の蓋部材１５で覆う場合について説明したが、開口部１２ａを覆う蓋部材を１枚に限る必要はなく、例えば、図４（ａ）に示すように、貯留槽１２の周縁部を橋絡するように、複数個の鋼製やコンクリート製の梁１８，１８，‥‥を設置し、これらの梁１８，１８，‥‥に蓋体１７Ａが設けられた複数個の蓋部材１５Ａを載置や接合等により取付ける構成としてもよい。
あるいは、図４（ｂ）に示すように、地上面１９ａ側に複数個の廃棄物投入口１９Ｓが設けられた、１個または複数個の鋼製やコンクリート製の箱体１９を用いて廃棄物集積施設の集積地（貯留槽）を構成するとともに、上記廃棄物投入口１９Ｓをそれぞれ蓋体１９Ｆで覆うような構造としてもよい。これにより、集積地の周囲の補強と蓋部材の取付けとを同時に行うことができるので、廃棄物集積施設を早期に構築することができる。
また、貯留槽が、図５（ａ），（ｂ）に示すように、コンクリート塀２１で囲まれた、仕切りのない広い貯留槽２０である場合には、上記コンクリート塀２１の底部２１Ａに、複数の鋼製やコンクリート製の支持部材２２，２２を突設し、この支持部材２２，２２と側壁２１Ｂとにより、広い面積を有する蓋部材２３を支持するようにすればよい。これにより、上記蓋部材２３を確実に支持することができるので、上記蓋部材２３上を、ダンプカー等の搬送車両６０を安全に通行させることができる。なお、支持部材２２のみで蓋部材２３を支持するようにしてもよい。
【００１３】
また、上記例では、矩形状の開口部を有する貯留槽１１〜１３、及び、貯留槽２０について説明したが、本発明は、図６（ａ），（ｂ）に示すような、集積地３０の開口部３０ａが不整形な場合にも適用可能である。このような場合には、上記集積地３０に複数の柱３２を立設するとともに、上記柱３２間に梁３３を設置し、この柱３２と梁３３と法面３１とにより蓋部材３４を直接支持することにより、上記蓋部材３４を安定に保持することができる。この場合、上記蓋部材３４としては、外形が上記集積地３０の開口部３０ａの形状の１枚ものであってもよいし、これを複数個に分割したものであってもよい。
あるいは、図７（ａ）に示すように、上記集積地３０を、図示しないコンクリート製の隔壁を構築するなどして、複数の貯留槽３０Ａ，３０Ｂ，３０Ｃ，‥‥に分割するとともに、図７（ｂ）に示すように、少なくとも、廃棄物を投入するか、あるいは、廃棄物を投入開始予定の貯留槽である貯留槽（ここでは、３０Ａ〜３０Ｅ）の開口部のそれぞれを、上記貯留槽３０Ａ〜３０Ｅの開口部の形状に対応した形状の蓋部材３１Ａ〜３１Ｅで覆うようにしてもよい。これにより、上記貯留槽３０Ａ〜３０Ｅに廃棄物を投入しながら、同時に、貯留槽３０Ｆ〜３０Ｉの開口部への蓋部材の設置作業を行うことができるので、上記集積地３０を早期に活用することができる。また、上記集積地３０において、廃棄物の投入中か廃棄物の投入開始予定の貯留槽３０Ａ〜３０Ｅのみを蓋部材３１Ａ〜３１Ｅで覆い、廃棄物の投入が完了した時点で上記蓋部材３１Ａ〜３１Ｅを順次移動して他の廃棄物の投入開始予定の貯留槽に架設することもできるので、使用する蓋部材が少なくて済み、コストダウンが可能となる。
【００１４】
また、上記実施の形態では、廃棄物最終処分場のような、敷き均し作業や覆土を想定した廃棄物集積施設１０について説明したが、本発明は、廃棄物を単に集積する廃棄物仮置き場や、廃棄物積換え所などの廃棄物集積施設に設けられた廃棄物集積地についても適用可能である。
また、上記例では、側壁１４ａを含む周囲をコンクリート塀１４で補強した、コンクリート構造器型の廃棄物集積地の例を示したが、廃棄物集積地の形態としては、これに限るものではなく、例えば、図８（ａ）に示すような、土構造器型の集積地４０Ａや、図８（ｂ）に示すような、凹型の掘削地４０ａの周囲にコンクリート擁護壁４０ｂを設けたタイプの集積地４０Ｂにも適用可能である。
【００１５】
【発明の効果】
以上説明したように、本発明によれば、廃棄物集積施設に設けられた集積地の開口部を板状の部材で覆って、車両が上記集積地の上部を通行可能とするとともに、上記板状の部材に複数個の開閉可能な廃棄物投入口を設けて、この投入口から上記廃棄物集積施設に運搬されてきた廃棄物を上記集積地内に投入するようにしたので、上記集積地内ににダンプカー等の搬送車両を入れることなく、廃棄物集積施設の集積地の上部から、上記集積地内に廃棄物を均一に投入することができるとともに、集積地内への雨水の浸入を防止することができる。
【図面の簡単な説明】
【図１】本発明の実施の形態に係る廃棄物集積施設の概略構成を示す図である。
【図２】本発明に係る蓋部材の構成例を示す図である。
【図３】本発明に係る蓋部材の構成例を示す図である。
【図４】本実施の形態に係る廃棄物集積施設の他の構成を示す図である。
【図５】開口部の広い集積地への蓋部材の取付け方法を示す図である。
【図６】集積地の開口部が不整形な場合への適用例を示す図である。
【図７】集積地の開口部が不整形な場合への他の適用例を示す図である。
【図８】廃棄物集積施設の集積地の他の例を示す図である。
【図９】従来の廃棄物処分場の構成を示す図である。
【図１０】従来の廃棄物の投入方法を示す図である。
【符号の説明】
１０  投入口付き廃棄物集積施設、１１〜１３  貯留槽、
１１ａ〜１３ａ  貯留槽の開口部、１４  コンクリート塀、１４ａ  側壁、
１５  蓋部材、１６  枠体、１６Ｓ  貫通孔、１７  蓋体、６０  搬送車両、
Ａ  廃棄物、Ｄ  地面。
【図１】
2004298687.tif 000003
【図２】
2004298687.tif 000004
【図３】
2004298687.tif 000005
【図４】
2004298687.tif 000006
【図５】
2004298687.tif 000007
【図６】
2004298687.tif 000008
【図７】
2004298687.tif 000009
【図８】
2004298687.tif 000010
【図９】
2004298687.tif 000011
【図１０】
2004298687.tif 000012